(57)【要約】【課題】  画像を表示していない間に、アンテナの位置をユーザーに通知すること。【解決手段】  ＭＦＰは、画像を表示可能なＬＣＤ２０１と、ＬＣＤ２０１が光を照射する側に設けられ、ＬＣＤ２０１の表示面から照射される光を透過するタッチパネル２０３と、ＬＣＤ２０１の表示面の上方または下方に設けられたアンテナ２１１と、ＬＣＤ２０１が画像を表示していない間、タッチパネル２０３にアンテナ２１１の位置を示す指示画像を投影するＬＥＤ２２１および導光板２３０と、を備える。【選択図】        図６
2018114650.tif 000002
【特許請求の範囲】
【請求項１】
画像を表示可能な表示手段と、
前記表示手段が光を照射する側に設けられ、前記表示手段の表示面から照射される光を透過する透過層と、
前記表示手段の表示面の上方または下方に設けられたアンテナと、
前記表示手段が画像を表示していない間、前記透過層に前記アンテナの位置を示す指示画像を投影する投影手段と、を備えた情報処理装置。
【請求項２】
前記投影手段は、光源と、
前記光源から照射される光を、前記透過層中で前記アンテナと重なる重畳領域に導く光路を形成する導光手段と、
前記光路中に設けられ、前記指示画像が形成された像担持面と、を含む請求項１に記載の情報処理装置。
【請求項３】
前記像担持面は、前記指示画像が形成された部分の光の透過率が、前記指示画像が形成されていない部分の光の透過率より大きい、請求項２に記載の情報処理装置。
【請求項４】
前記像担持面は、前記指示画像が形成された部分の光の反射率が、前記指示画像が形成されていない部分の光の反射率より大きい、請求項２に記載の情報処理装置。
【請求項５】
前記像担持面は、前記透過層の法線方向と所定の角度を有する、請求項２〜４のいずれかに記載の情報処理装置。
【請求項６】
前記導光手段は、前記透過層と前記表示手段との間において前記透過層に平行に配置され、前記光源からの光が入射する第１端面と反対側の第２端面は前記像担持面である、請求項２〜５のいずれかに記載の情報処理装置。
【請求項７】
前記投影手段は、光源と、
前記透過層に平行に配置され、前記光源から照射される光を、前記透過層中で前記アンテナと重なる重畳領域に導く光路を形成する導光手段と、を含み、
前記導光手段は、前記透過層と反対側の面に、前記重畳領域を投影した領域の輪郭に沿って配列された複数の反射部分を含む、請求項１に記載の情報処理装置。
【請求項８】
画像を表示可能な表示手段と、
前記表示手段の表示面の上方または下方に設けられたアンテナと、
前記表示手段の表示面の上方で、前記表示手段の表示面中で前記アンテナに対応する領域に配置され、前記アンテナの位置を示す指示画像と同じ形状の反射部分を有する透光板と、を備え、
前記反射部分の光の反射率は、前記表示手段の表示面の反射率よりも大きい、情報処理装置。
【請求項９】
画像を表示可能な表示手段と、
前記表示手段が光を照射する側に設けられ、前記表示手段の表示面から照射される光を透過する透過層と、
前記表示手段の表示面の上方または下方に設けられたアンテナと、
前記透過層と前記表示手段との間で移動可能で、前記アンテナの位置を示す指示画像が描かれた表示板と、
前記表示手段が画像を表示している間は前記表示手段の表示面と重ならない位置に前記表示板を移動させ、前記表示手段が画像を表示していない間は前記表示手段の表示面中で前記アンテナに対応する位置に前記表示板を移動させる移動手段と、を備えた情報処理装置。
【請求項１０】
前記アンテナに接続された通信手段と、
前記表示手段が画像を表示していない間に、前記通信手段が外部の装置を検出する場合、前記表示手段に画像を表示させることなく前記外部の装置から受信される操作に従って処理を実行する制御手段と、をさらに備えた請求項１〜９のいずれかに記載の情報処理装置。
【発明の詳細な説明】
【技術分野】
【０００１】
この発明は、情報処理装置、操作位置表示方法および操作位置表示プログラムに関し、特に、外部の装置と無線接続が可能な情報処理装置、その情報処理装置で実行される操作位置表示方法および操作位置表示プログラムに関する。
【背景技術】
【０００２】
近年、ユーザーが携帯するスマートフォン、ＰＤＡ（Ｐｅｒｓｏｎａｌ  Ｄｉｇｉｔａｌ  Ａｓｓｉｓｔａｎｔ）等の携帯装置で、ＭＦＰ（Ｍｕｌｔｉ  Ｆｕｎｃｔｉｏｎ  Ｐｅｒｉｆｅｒａｌ）等の画像処理装置と通信して、ＭＦＰを遠隔操作することが可能であり、この場合に、画像処理装置と携帯装置との間で通信を開始するためのトリガーとして相互に相手方を特定するための技術としてＮＦＣ（Ｎｅａｒ  Ｆｉｅｌｄ  Ｃｏｍｍｕｎｉｃａｔｉｏｎ）が知られている。
【０００３】
例えば、特表２０１５−５２２９５７号公報には、無線通信の方法であって、デバイスが、遠隔の近距離通信（ＮＦＣ）デバイスと通信するためにＮＦＣアクションを実施することを試みていることを検出することと、デバイスがＮＦＣアクションを実施することを試みているという決定に応答して、デバイスの第２の面におけるアンテナ位置に対応するデバイスの第１の面における第１の位置を示すための第１の感覚キューを提供することと、デバイスが実施することを試みているＮＦＣアクションのタイプを決定することと、および決定されたタイプのＮＦＣアクションに関連する１以上のファクタに基づいて、デバイスの第１の面上に第２の位置を示す第２の感覚キューを提供す無線通信方法が記載されている。
【０００４】
一方、ＭＦＰにおいては、ＬＣＤ等の表示装置の表示面の大画面化が要求されており、これに伴い操作パネルに占めるＬＣＤの面積が大きくなり、ＮＦＣのアンテナを設置するスペースが制限されるといった問題がある。この場合、表示面の裏側にアンテナを設置することが考えられる。この場合に、特表２０１５−５２２９５７号公報に記載の技術を用いてアンテナの位置をユーザーに知らせることができる。しかしながら、ＭＦＰは、電力消費を低減させる要求があり、特表２０１５−５２２９５７号公報に記載の技術では、表示装置が駆動しない場合にアンテナの位置をユーザーに知らせることができないといった問題がある。
【特許文献１】特表２０１５−５２２９５７号公報
【発明の概要】
【発明が解決しようとする課題】
【０００５】
この発明は上述した問題点を解決するためになされたもので、この発明の目的の１つは、画像を表示していない間に、アンテナの位置をユーザーに通知することが可能な情報処理装置を提供することである。
【課題を解決するための手段】
【０００６】
上述した目的を達成するためにこの発明のある局面によれば、情報処理装置は、画像を表示可能な表示手段と、表示手段が光を照射する側に設けられ、表示手段の表示面から照射される光を透過する透過層と、表示手段の表示面の上方または下方に設けられたアンテナと、表示手段が画像を表示していない間、透過層にアンテナの位置を示す指示画像を投影する投影手段と、を備える。
【０００７】
この局面に従えば、表示手段が画像を表示していない間、透過層に指示画像が投影されるので、画像を表示していない間に、アンテナの位置をユーザーに通知することが可能な情報処理装置を提供することができる。
【０００８】
好ましくは、投影手段は、光源と、光源から照射される光を、透過層中でアンテナと重なる重畳領域に導く光路を形成する導光手段と、光路中に設けられ、指示画像が形成された像担持面と、を含む。
【０００９】
この局面に従えば、導光手段により光源から照射される光が重畳領域に導かれ、光路中に像担持面が設けられるので、重畳領域に像担持面に形成された指示画像が投影される。このため、透過層中でアンテナと重なる重畳領域に指示画像を表示することができる。
【００１０】
好ましくは、像担持面は、指示画像が形成された部分の光の透過率が、指示画像が形成されていない部分の光の透過率より大きい。
【００１１】
この局面に従えば、透過層に、指示画像の部分が他の部分よりも明るく投影されるので、指示画像を他の部分より明るく表示することができる。
【００１２】
好ましくは、像担持面は、指示画像が形成された部分の光の反射率が、指示画像が形成されていない部分の光の反射率より大きい。
【００１３】
この局面に従えば、透過層に、指示画像の部分が他の部分よりも明るく投影されるので、指示画像を他の部分より明るく表示することができる。
【００１４】
好ましくは、像担持面は、透過層の法線方向と所定の角度を有する。
【００１５】
この局面に従えば、像担持面を透過した光は屈折するので、像担持面を透過した光を重畳領域に導くことができる。また、像担持面で反射した光を重畳領域に導くことができる。
【００１６】
好ましくは、導光手段は、透過層と表示手段との間において透過層に平行に配置され、光源からの光が入射する第１端面と反対側の第２端面は像担持面である。
【００１７】
この局面に従えば、導光手段を透過層と表示手段との間において透過層に平行に配置されるので、透過層と表示手段のとの間をできるだけ短くすることができる。
【００１８】
好ましくは、投影手段は、光源と、透過層に平行に配置され、光源から照射される光を、透過層中でアンテナと重なる重畳領域に導く光路を形成する導光手段と、を含み、導光手段は、透過層と反対側の面に、重畳領域を投影した領域の輪郭に沿って配列された複数の反射部分を含む。
【００１９】
この局面に従えば、導光手段に光源から入射した光が複数の反射部分でそれぞれ反射するので、複数の反射部分でそれぞれ反射した光が、重畳領域の輪郭に照射される。このため、重畳領域の輪郭部分を明るくすることができる。
【００２０】
この発明の他の局面によれば、情報処理装置は、画像を表示可能な表示手段と、表示手段の表示面の上方または下方に設けられたアンテナと、表示手段の表示面の上方で、表示手段の表示面中でアンテナに対応する領域に配置され、アンテナの位置を示す指示画像と同じ形状の反射部分を有する透光板と、を備え、反射部分の光の反射率は、表示手段の表示面の反射率よりも大きい。
【００２１】
この局面に従えば、投光板が有する反射部分の光の反射率は、表示手段の表示面の反射率よりも大きいので、表示手段が画像を表示していない状態においては、反射部分で反射する光の量が表示手段の表示面で反射する光の量よりも多くなる。反射部分は指示画像と同じ形状なので、表示手段が画像を表示していない状態において指示画像が視認可能になる。その結果、画像を表示していない間に、アンテナの位置をユーザーに通知することが可能な情報処理装置を提供することができる。
【００２２】
この発明のさらに他の局面によれば、情報処理装置は、画像を表示可能な表示手段と、表示手段が光を照射する側に設けられ、表示手段の表示面から照射される光を透過する透過層と、表示手段の表示面の上方または下方に設けられたアンテナと、透過層と表示手段との間で移動可能で、アンテナの位置を示す指示画像が描かれた表示板と、表示手段が画像を表示している間は表示手段の表示面と重ならない位置に表示板を移動させ、表示手段が画像を表示していない間は表示手段の表示面中でアンテナに対応する位置に表示板を移動させる移動手段と、を備える。
【００２３】
この局面に従えば、表示手段が画像を表示している間は表示手段の表示面と重ならない位置に指示画像が描かれた表示板を移動させ、表示手段が画像を表示していない間は表示手段の表示面中でアンテナに対応する位置に表示板を移動させる。このため、表示手段の表示面に、表示手段が表示する画像、または、指示画像を表示することができる。その結果、画像を表示していない間に、アンテナの位置をユーザーに通知することが可能な情報処理装置を提供することができる。
【００２４】
好ましくは、アンテナに接続された通信手段と、表示手段が画像を表示していない間に、通信手段が外部の装置を検出する場合、表示手段に画像を表示させることなく外部の装置から受信される操作に従って処理を実行する制御手段と、をさらに備える。
【００２５】
この局面に従えば、表示手段が画像を表示していない間に外部の装置を検出する場合は、表示手段に画像を表示させることなく外部の装置から受信される操作に従って処理を実行するので、表示手段により電力を消費させないようにすることができる。
【図面の簡単な説明】
【００２６】
【図１】本発明の実施の形態におけるプリントシステムの全体概要の一例を示す図である。
【図２】本実施の形態におけるＭＦＰの外観を示す斜視図である。
【図３】本実施の形態におけるＭＦＰのハードウェア構成の一例を示すブロック図である。
【図４】第１の実施の形態における操作パネルの制御回路の一例を示す図である。
【図５】操作パネルの平面図である。
【図６】第１の実施の形態における操作パネルの断面の構成を模式的に示す図である。
【図７】第1の実施の形態における表示切換処理の流れの一例を示すフローチャートである。
【図８】第１の変形例における操作パネルの断面の構成を模式的に示す図である。
【図９】第２の変形例における操作パネルの断面の構成を模式的に示す図である。
【図１０】第３の変形例における操作パネルの断面の構成を模式的に示す図である。
【図１１】第２の実施の形態におけるＭＦＰの操作パネルの制御回路の一例を示す図である。
【図１２】第２の実施の形態における操作パネルの断面の構成を模式的に示す図である。
【図１３】第３の実施の形態におけるＭＦＰの操作パネルび制御回路の一例を示す図である。
【図１４】第３の実施の形態における操作パネルの断面の構成を模式的に示す図である。
【図１５】第３の実施の形態における表示切換処理の流れの一例を示すフローチャートである。
【発明を実施するための形態】
【００２７】
以下、本発明の実施の形態について図面を参照して説明する。以下の説明では同一の部品には同一の符号を付してある。それらの名称および機能も同じである。したがってそれらについての詳細な説明は繰り返さない。
【００２８】
図１は、本発明の実施の形態におけるプリントシステムの全体概要の一例を示す図である。図１を参照して、プリントシステム１は、ＭＦＰ（Ｍｕｌｔｉ  Ｆｕｎｃｔｉｏｎ  Ｐｅｒｉｐｈｅｒａｌ）１００と、スマートフォン３００と、を含む。
【００２９】
スマートフォン３００は、携帯装置の一例であり、ユーザーにより携帯されて使用される。ＭＦＰ１００は、原稿を読み取るための原稿読取機能、画像データに基づいて紙などの記録媒体に画像を形成するための画像形成機能およびファクシミリデータを送受信するファクシミリ送受信機能を備えている。
【００３０】
無線局５およびＭＦＰ１００それぞれは、ネットワーク３に接続される。ネットワーク３は、ローカルエリアネットワーク（ＬＡＮ）であり、接続形態は有線または無線を問わない。またネットワーク３は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク３は、インターネットなどのワイドエリアネットワーク（ＷＡＮ）であってもよい。
【００３１】
スマートフォン３００は、無線ＬＡＮ機能を有し、無線局５と通信可能である。無線局５は、ネットワーク３の中継装置であり、無線ＬＡＮを用いた通信機能を備えたスマートフォン３００と通信して、スマートフォン３００をネットワーク３に接続する。このため、スマートフォン３００は、無線局５を介してＭＦＰ１００と通信可能である。ネットワーク３は、さらに、インターネットに接続されてもよい。この場合、スマートフォン３００およびＭＦＰ１００それぞれは、ネットワーク３を介してインターネットに接続されたコンピューターと互いに通信可能である。
【００３２】
さらに、ＭＦＰ１００、スマートフォン３００それぞれは、近距離無線通信機能を有し、相手の装置が所定の範囲内となる場合に互いに１対１で通信可能である。
【００３３】
図２は、本実施の形態におけるＭＦＰの外観を示す斜視図である。図３は、本実施の形態におけるＭＦＰのハードウェア構成の一例を示すブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、画像が形成された用紙を処理する後処理部１５５と、ユーザーインターフェースとしての操作パネル１６０とを含む。
【００３４】
後処理部１５５は、画像形成部１４０により画像が形成された１以上の用紙を並び替えて排紙するソート処理、パンチ穴加工するパンチ処理、ステープル針を打ち込むステープル処理を実行する。
【００３５】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ１１８が装着される外部記憶装置１１７と、を含む。ＣＰＵ１１１は、自動原稿搬送装置１２０、原稿読取部１３０、画像形成部１４０、給紙部１５０、後処理部１５５および操作パネル１６０と接続され、ＭＦＰ１００の全体を制御する。
【００３６】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００３７】
通信Ｉ／Ｆ部１１２は、ＭＦＰ１００をネットワーク３に接続するためのインターフェースである。ＣＰＵ１１１は、通信Ｉ／Ｆ部１１２を介して、スマートフォン３００との間で通信し、データを送受信する。また、通信Ｉ／Ｆ部１１２は、ネットワーク３を介してインターネットに接続されたコンピューターと通信が可能である。
【００３８】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００３９】
外部記憶装置１１７は、ＣＤ−ＲＯＭ（Ｃｏｍｐａｃｔ  Ｄｉｓｋ  ＲＯＭ）１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムを記憶する媒体としては、ＣＤ−ＲＯＭ１１８に限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００４０】
また、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、ネットワーク３に接続された他のコンピューターが、ＭＦＰ１００のＨＤＤ１１５に記憶されたプログラムを書換える、または、新たなプログラムを追加して書き込むようにしてもよい。さらに、ＭＦＰ１００が、ネットワーク３に接続された他のコンピューターからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４１】
図４は、第１の実施の形態における操作パネルの制御回路の一例を示す図である。図４を参照して、操作パネル１６０は、液晶表示装置（ＬＣＤ）２０１と、タッチパネル２０３と、表示制御部２０５と、ＮＦＣ制御部２１３と、ＮＦＣアンテナ２１１と、ＬＥＤ２２１と、駆動回路２２３と、ＬＥＤ制御部２２５と、を含む。
【００４２】
ＬＣＤ２０１は、表示装置の一例である。なお、ＬＣＤ２０１に代えて、有機ＥＬＤ（Ｅｌｅｃｔｒｏ−Ｌｕｍｉｎｅｓｃｅｎｃｅ  Ｄｉｓｐｌａｙ）を用いるようにしてもよい。ＬＣＤ２０１は、ユーザーに対する指示メニューや取得した画像データに関する情報等を表示する。タッチパネル２０３は、位置検出装置の一例であり、ＬＣＤ２０１の表示面に重畳して設けられ、ＬＣＤ２０１の表示面中の位置を検出する。タッチパネル２０３は、静電容量方式である。なお、タッチパネル２０３は、静電容量方式に限らず、例えば、抵抗膜方式、表面弾性波方式、赤外線方式、電磁誘導方式等の他の方式を用いることができる。
【００４３】
表示制御部２０５は、ＣＰＵ１１１により制御され、ＬＣＤ２０１およびタッチパネル２０３を制御する。表示制御部２０５、ＬＣＤ２０１およびタッチパネル２０３は、スイッチ２０７に繋がる回路に接続されている。スイッチ２０７は、ＣＰＵ１１１によりＯＮとＯＦＦに切り換えられる。ＣＰＵ１１１は、動作モードを通常モードに切り換えている場合にスイッチ２０７をＯＮに切り換え、動作モードを通常モードよりも消費電力の小さい省電力モードに切り換えている場合にスイッチ２０７をＯＦＦに切り換える。このため、ＣＰＵ１１１がスイッチ２０７をＯＦＦに切り換えると、回路が開き、表示制御部２０５、ＬＣＤ２０１およびタッチパネル２０３に電力が供給されなくなり、ＣＰＵ１１１がスイッチ２０７をＯＮに切り換えると、回路が閉じて、表示制御部２０５、ＬＣＤ２０１およびタッチパネル２０３に電力が供給される。
【００４４】
ＮＦＣ制御部２１３、ＬＥＤ２２１、駆動回路２２３およびＬＥＤ制御部２２５は、スイッチ２０７を含む回路とは別の回路に接続されており、スイッチ２０７のＯＮまたはＯＦＦに係わらず、電力が供給される。ＬＥＤ制御部２２５は、ＣＰＵ１１１により制御され、駆動回路２２３のＯＮとＯＦＦとを切り換える。駆動回路２２３は、ＬＥＤ制御部２２５によりＯＮに切り換えられる場合、ＬＥＤ２２１に電圧を印加し、ＬＥＤ制御部２２５によりＯＦＦに切り換えられる場合、ＬＥＤ２２１を電圧を印加しない。ＬＥＤ２２１は駆動回路２２３により電圧が印加されている間発光し、電圧が印加されなくなると消灯する。ＣＰＵ１１１は、スイッチ２０７をＯＦＦに切り換えている間、ＬＥＤ制御部２２５に駆動回路２２３をＯＮに切換させ、スイッチ２０７をＯＮに切り換えている間、ＬＥＤ制御部２２５に駆動回路２２３をＯＦＦに切換させる。このため、ＬＣＤ２０１が駆動している間はＬＥＤ２２１は消灯し、ＬＣＤ２０１が駆動していない間はＬＥＤ２２１は点灯する。
【００４５】
ＮＦＣ制御部２１３は、アンテナ２１１が接続される。ＮＦＣ制御部２１３は、ＣＰＵ１１１により制御され、ＮＦＣ（Ｎｅａｒ  Ｆｉｅｌｄ  Ｃｏｍｍｕｎｉｃａｔｉｏｎ）の近距離無線通信方式で外部の装置、例えば、スマートフォン３００と無線により通信する。ＮＦＣ制御部２１３が通信可能な距離は、数ｃｍである。
【００４６】
図５は、操作パネルの平面図である。図５を参照して、操作パネル１６０は、ＬＣＤ２０１と、タッチパネル２０３と、ハードキー部１６７と、を含む。ＬＣＤ２０１の表示面と、タッチパネル２０３の検出面とは重ねて配置される。アンテナ領域２０３Ａは、ＬＣＤ２０１の表示面中でアンテナ２１１と重なる領域である。
【００４７】
ハードキー部１６７は、複数のハードキーを含む。ハードキーは、接点スイッチであり、ＣＰＵ１１１と接続される。ハードキーは、ユーザーにより押下されていない状態でＯＦＦであり、ユーザーにより押下されるとＯＮになる。
【００４８】
図６は、第１の実施の形態における操作パネルの断面の構成を模式的に示す図である。図６を参照して、ＬＣＤ２０１の上方にタッチパネル２０３が配置され、ＬＣＤ２０１の下方に操作パネル制御基板２００が配置される。タッチパネル２０３はＬＣＤ２０１の上方に配置されるので、タッチパネル２０３の検出面がＬＣＤ２０１の表示面と重なり、タッチパネル２０３はＬＣＤ２０１の表示面中の位置を検出することができる。
【００４９】
操作パネル制御基板２００には、表示制御部２０５、ＬＥＤ制御部２２５、駆動回路２２３、ＬＥＤ２２１、ＮＦＣ制御部２１３およびアンテナ２１１が配置される。アンテナ２１１は、ＬＣＤ２０１の表示面の下方の面に配置される。ＬＣＤ２０１の表示面、またはタッチパネル２０３の検出面において、アンテナ２１１と重なる部分を、アンテナ領域２０３Ａという。
【００５０】
導光板２３０は、透明な板材を直角に折り曲げた断面Ｌ字状の形状である。導光板２３０は、ＬＥＤ２２１からタッチパネル２０３に向かって操作パネル制御基板２００から垂直に上方に伸び、タッチパネル２０３に当たる位置で水平方向に折れ曲がり、タッチパネル２０３とＬＣＤ２０１との間に入り込むように伸びる。
【００５１】
導光板２３０の一端の第１端面２３１側にＬＥＤ２２１が配置される。ＬＥＤ２２１は、導光板２３０の第１端面２３１に１以上が設けられ、導光板２３０の第１端面２３１に向けて光を照射する光源である。なお、ＬＥＤ２２１は、導光板２３０の第１端面２３１に沿って設けられる線光源であってもよい。第１端面２３１から入射した光は、導光板２３０の第１端面２３１に対向する他端の第２端面２３３に進む。なお、第１端面２３１から入射した光の一部は、導光板２３０の側面を透過する光と反射する光とを含む。導光板２３０の第２端面２３３に進む光の一部は、第２端面２３３を透過する。第２端面２３３は、タッチパネル２０３の検出面と所定の角度で交わる。第２端面２３３とタッチパネル２０３の検出面とが交わる角度は、９０度より小さい。
【００５２】
第２端面２３３には、指示画像が形成されている。具体的には、第２端面２３３の光の透過率が、指示画像が存在する部分と、指示画像が存在しない部分とで異なる。このため、タッチパネル２０３の検出面に指示画像が投影される。なお、図６中の点線は、第２端面２２３を透過した光を示すために付したもので、実際には存在しない。
【００５３】
タッチパネル２０３の検出面において、第２端面２３３を透過した光が照射される部分は、タッチパネル２０３を上方から見て、ＮＦＣ制御部２１３のアンテナ２１１に対応するアンテナ領域２０３Ａと重なるように、第２端面２３３の水平方向の位置および第２端面２３３とタッチパネル２０３の検出面との角度が調整されている。換言すれば、タッチパネル２０３の検出面において第２端面２３３を透過した光が照射される部分は、アンテナ領域２０３Ａと重なる。
【００５４】
なお、本実施の形態においては、第１端面２３１に指示画像を形成するようにしたが、第１端面２３１とタッチパネル２０３の検出面との間に指示画像が形成された像担持板を設けるようにしてもよい。
【００５５】
図７は、第１の実施の形態における表示切換処理の流れの一例を示すフローチャートである。表示切換処理は、ＭＦＰ１００が備えるＣＰＵ１１１が、ＲＯＭ１１３、ＨＤＤ１１５またはＣＤ−ＲＯＭ１１８に記憶された表示切換プログラムを実行することにより、ＣＰＵ１１１により実行される処理である。図７を参照して、ＣＰＵ１１１は、省電力条件が成立したか否かを判断する。省電力条件は、動作モードを省電力モードに切り換えるために予め定められた条件である。省電力条件は、例えば、操作パネル１６０が操作を受け付けることなく所定の時間経過する場合に成立する。省電力条件が成立したならば処理をステップＳ０２に進めるが、そうでなければ処理をステップＳ０５に進める。ステップＳ０２においては、ＬＣＤ２０１を駆動しているか否かを判断する。スイッチ２０７をＯＮに切り換えているならばＬＣＤ２０１を駆動していると判断する。ＬＣＤ２０１を駆動しているならば処理をステップＳ０３に進めるが、そうでなければ処理をステップＳ０９に進める。ステップＳ０３においては、ＬＣＤ２０１を停止させ、処理をステップＳ０４に進める。スイッチ２０７をＯＦＦに切り換えることにより、ＬＣＤ２０１を停止させる。
【００５６】
ステップＳ０４においては、ＬＥＤ２２１をＯＮにし、処理をステップＳ０９に進める。ＬＥＤ制御部２２５に駆動回路２２３をＯＮに切換させる。これにより、ＬＥＤ２２１が発光するので、タッチパネル２０３に指示画像が投影される。ＬＣＤ２０１が駆動していないにもかかわらず、ＬＣＤ２０１の表示面中でアンテナ領域２０３Ａに指示画像が表示される。
【００５７】
ステップＳ０５においては、復帰条件が成立したか否かを判断する。復帰条件は、動作モードを省電力モードから通常モードに切り換えるための条件として予め定められた条件である。例えば、ＭＦＰ１００がユーザーにより操作される場合に成立する。より具体的には、操作パネル１６０が備える物理スイッチが指示される場合に、ユーザーにより操作されると判断する。また、ＭＦＰ１００は、ユーザーによる操作を検出するための種々のセンサーを有するので、センサーがユーザーによる操作を検出する場合に、復帰条件が成立したと判断する。例えば、自動原稿搬送装置１２０が開放を検出するセンサーがあり、そのセンサーが自動原稿搬送装置１２０が開放を検出する場合に、ユーザーによる操作を検出する。復帰条件が成立したならば処理をステップＳ０６に進めるが、そうでなければ処理をステップＳ０９に進める。
【００５８】
ステップＳ０６においては、ＬＣＤ２０１が停止しているか否かを判断する。スイッチ２０７をＯＦＦに切り換えているならばＬＣＤ２０１が停止していると判断する。ＬＣＤ２０１を停止しているならば処理をステップＳ０７に進めるが、そうでなければ処理をステップＳ０９に進める。ステップＳ０７においては、ＬＣＤ２０１を駆動させ、処理をステップＳ０８に進める。スイッチ２０７をＯＮに切り換え、表示制御部２０５に駆動指示を出力することにより、ＬＣＤ２０１を駆動させる。
【００５９】
ステップＳ０８においては、ＬＥＤ２２１をＯＦＦにし、処理をステップＳ０９に進める。ＬＥＤ制御部２２５に駆動回路２２３をＯＦＦに切換させる。これにより、ＬＥＤ２２１が消灯するので、タッチパネル２０３に指示画像が投影されなくなる。ＬＣＤ２０１が駆動しているので、ＬＣＤ２０１にアンテナ領域２０３Ａに指示画像を表示させるようにすればよい。
【００６０】
ステップＳ０９においては、外部の装置とのＮＦＣ通信を検出したか否かを判断する。ＮＦＣ制御部２１３が、外部の装置、例えば、スマートフォン３００と通信を開始したならば外部の装置とのＮＦＣ通信を検出する。ここでは、検出されたＮＦＣ通信の相手方の装置を、スマートフォン３００とする場合を例に説明する。スマートフォン３００とＮＦＣ通信を検出したならば処理をステップＳ１０に進めるが、そうでなければ処理をステップＳ０１に戻す。ステップＳ１０においては、ステップＳ０９においてＮＦＣ通信の相手側のスマートフォン３００との間で通信経路が確立されたか否かを判断する。例えば、通信Ｉ／Ｆ部１１２を制御して、スマートフォン３００との間で装置と通信経路を確立する。通信経路を確立するまで待機状態となり（ステップＳ１０でＮＯ）、通信経路を確立したならば（ステップＳ１０でＹＥＳ）、処理をステップＳ１１に進める。
【００６１】
ステップＳ１１においては、通信経路を確立したスマートフォン３００により遠隔操作されるか否かを判断する。例えば、スマートフォン３００により実行されているアプリケーションプログラムにより遠隔操作されているか否かを判断する。アプリケーションプログラムが、ＭＦＰ１００を遠隔操作するための遠隔操作用プログラムならば遠隔操作されると判断する。また、スマートフォン３００から遠隔操作コマンドを受信することにより判断するようにしてもよい。例えば、スマートフォン３００において、ブラウザプログラムが実行され、遠隔操作のための操作画面のＷｅｂページの送信コマンドを受信する場合に、遠隔操作されると判断する。スマートフォン３００により遠隔操作されたならば処理をステップＳ１５に進めるが、そうでなければ処理をステップＳ１２に進める。
【００６２】
処理がステップＳ１２に進む場合は、例えば、スマートフォン３００において、遠隔操作用プログラムとは異なるアプリケーションプログラムが実行される場合であり、例えば、アドレス帳のデータを送信するアプリケーションプログラム、スマートフォン３００をＭＦＰ１００のキーボードとして機能させるためのアプリケーションプログラムが実行される場合である。ステップＳ１２においては、ＬＣＤ２０１が停止しているか否かを判断する。スイッチ２０７をＯＦＦに切り換えているならばＬＣＤ２０１が停止していると判断する。ＬＣＤ２０１を停止しているならば処理をステップＳ１３に進めるが、そうでなければ処理をステップＳ０１に戻す。
【００６３】
ステップＳ１３においては、ＬＣＤ２０１を駆動させ、処理をステップＳ１４に進める。スイッチ２０７をＯＮに切り換え、表示制御部２０５に駆動指示を出力することにより、ＬＣＤ２０１を駆動させる。ステップＳ１４においては、ＬＥＤ２２１をＯＦＦにし、処理をステップＳ０９に進める。ＬＥＤ制御部２２５に駆動回路２２３をＯＦＦに切換させる。これにより、ＬＥＤ２２１が消灯するので、タッチパネル２０３に指示画像が投影されなくなる。ＬＣＤ２０１が駆動しているので、ＬＣＤ２０１にアンテナ領域２０３Ａに指示画像を表示させるようにすればよい。
【００６４】
ステップＳ１５においては、ユーザーにより入力される操作によって処理を分岐させる。処理がステップＳ１１から進む場合は、スマートフォン３００によって遠隔操作されるので、スマートフォン３００から受信される操作に従って、処理を分岐させる。処理がステップＳ１４から進む場合は、操作パネル１６０にユーザーにより入力される操作、または、スマートフォン３００から受信される操作に従って、処理を分岐させる。ユーザーにより入力される操作が、設定値を設定する設定操作ならば処理をステップＳ１６に進め、処理の実行を指示する実行指示操作ならば処理をステップＳ１７に進め、遠隔操作の終了を指示する終了操作を受け付けたならば処理をステップＳ０１に戻す。ステップＳ１６においては、設定操作に従って設定値を設定し、処理をステップＳ１５に戻す。ステップＳ１６においては、実行指示操作に従って処理を実行し、処理をステップＳ０１に戻す。
【００６５】
＜第１の変形例＞
第１の変形例におけるＭＦＰ１００は、操作パネル１６０を変更したものである。その他の構成および機能は、上述した構成および機能と同じである。したがって、ここでは説明を繰り返さない。
【００６６】
図８は、第１の変形例における操作パネルの断面の構成を模式的に示す図である。図８を参照して、図６に示した操作パネル１６０と異なる点は、導光板２３０が導光板２３０Ａに変更された点である。導光板２３０Ａは、透明な板材を直角に折り曲げた断面Ｌ字状の形状である。導光板２３０Ａは、ＬＥＤ２２１からタッチパネル２０３に向かって操作パネル制御基板２００から垂直に上方に伸び、タッチパネル２０３に当たる位置で水平方向に折れ曲がり、タッチパネル２０３とＬＣＤ２０１との間に入り込むように伸びる。
【００６７】
導光板２３０Ａの一端の第１端面２３１側にＬＥＤ２２１が配置される。ＬＥＤ２２１は、導光板２３０Ａの第１端面２３１に１以上が設けられ、導光板２３０Ａの第１端面２３１に向けて光を照射する光源である。なお、ＬＥＤ２２１は、導光板２３０Ａの第１端面２３１に沿って設けられる線光源であってもよい。第１端面２３１から入射した光は、導光板２３０Ａの第１端面２３１に対向する他端の第３端面２３５に進む。なお、第１端面２３１から入射した光の一部は、導光板２３０Ａの側面を透過する光と反射する光とを含む。導光板２３０ＡのＬＣＤ２０１側の底面において、第１端面２３１と第３端面２３５との間のアンテナ領域２０３Ａに対応する部分にアンテナ領域２０３Ａの輪郭に沿って所定の間隔で複数の反射部分２３７が形成されている。反射部分２３７は、例えば、裏面から隆起した突起である。第１端面２３１から入射した光は、複数の反射部分２３７それぞれで反射し、タッチパネル２０３の検出面に照射される。このため、タッチパネル２０３の検出面において、指示画像が投影される。
【００６８】
＜第２の変形例＞
第２の変形例における導光板２３０Ｂは、第１の変形例の導光板２３０Ａを改良したものである。図９は、第２の変形例における操作パネルの断面の構成を模式的に示す図である。図９を参照して、第２の変形例における導光板２３０Ｂは、第１端面２３１に入射した光を、第１端面２３１に対向する他端の第４端面２３９まで伝達させる。第４端面２３９は、第１端面２３１から入射した光を反射する反射面である。第４端面２３９は、タッチパネル２０３の検出面と所定の角度で交わる。第４端面２３９と、タッチパネル２０３の検出面とが交わる角度は、９０度より小さい。このため、第４端面２３９で反射した光は、タッチパネル２０３の検出面に照射される。
【００６９】
第４端面２３９には、指示画像が形成されている。具体的には、第４端面２３９の光の反射率が、指示画像が存在する部分と、指示画像が存在しない部分とで異なる。このため、タッチパネル２０３の検出面において、第４端面２３９で反射した光が照射される部分に、指示画像が投影される。ここでは、指示画像が存在する部分の反射率が指示画像が存在しない部分の反射率よりも高くしている。なお、指示画像が存在する部分の反射率を、指示画像が存在しない部分の反射率よりも低くしてもよい。
【００７０】
タッチパネル２０３の検出面において、第４端面２３９で反射した光が照射される部分は、アンテナ領域２０３Ａと重なるように、第４端面２３９の水平後方の位置および第４端面２３９とタッチパネル２０３の検出面との角度が調整されている。換言すれば、タッチパネル２０３の検出面において第４端面２３９で反射した光が照射される部分は、アンテナ領域２０３Ａと重なる。
【００７１】
＜第３の変形例＞
第３の変形例におけるＭＦＰ１００はＬＥＤ２２１が配置される位置および導光板２３０の形状を変更したものである。図１０は、第３の変形例における操作パネルの断面の構成を模式的に示す図である。図１０を参照して、図６に示した構成と異なる点は、導光板２３０が導光板２３０Ｃに変更された点、ＬＥＤ２２１が配置される位置が変更された点である。
【００７２】
ＬＥＤ２２１は、タッチパネル２０３の裏面に配置される。導光板２３０Ｃは、透明な板材であり、ＬＥＤ２２１からタッチパネル２０３とＬＣＤ２０１との間に入り込むように伸びる。導光板２３０Ｃの一端の第１端面２３１側にＬＥＤ２２１が配置される。ＬＥＤ２２１は、導光板２３０Ｃの第１端面２３１に１以上が設けられ、導光板２３０Ｃの第１端面２３１に向けて光を照射する光源である。なお、ＬＥＤ２２１は、導光板２３０Ｃの第１端面２３１に沿って設けられる線光源であってもよい。第１端面２３１から入射した光は、導光板２３０Ｃの第１端面２３１に対向する他端の第２端面２３３に進む。なお、第１端面２３１から入射した光の一部は、導光板２３０の側面を透過する光と反射する光とを含む。導光板２３０の第２端面２３３に進む光の一部は、第２端面２３３を透過する。第２端面２３３は、タッチパネル２０３の検出面と所定の角度で交わる。第２端面２３３とタッチパネル２０３の検出面とが交わる角度は、９０度より小さい。タッチパネル２０３の検出面において、第２端面２３３を透過した光が照射される部分は、タッチパネル２０３を上方から見て、ＮＦＣ制御部２１３のアンテナ２１１に対応するアンテナ領域２０３Ａと重なるように、第２端面２３３の水平方向の位置および第２端面２３３とタッチパネル２０３の検出面との角度が調整されている。
【００７３】
第２端面２３３には、指示画像が形成されている。具体的には、第２端面２３３の光の透過率が、指示画像が存在する部分と、指示画像が存在しない部分とで異なる。このため、タッチパネル２０３の検出面において、第２端面２３３を透過した光が照射される部分に、指示画像が投影される。
【００７４】
なお、第１の変形例および第２の変形例においても、第３の変形例と同様に、ＬＥＤ２２１をタッチパネル２０３の下方に配置するようにしてもよい。この場合には、導光板２３０Ａおよび２３０Ｂは、透明な板材であり、タッチパネル２０３とＬＣＤ２０１との間に入り込むように配置される。
【００７５】
以上説明したように、本実施の形態におけるＭＦＰ１００は、情報処理装置として機能し、ＬＣＤ２０１が光を照射する側に設けられ、ＬＣＤ２０１の表示面から照射される光を透過するタッチパネル２０３と、ＬＣＤ２０１の表示面の上方または下方に設けられたアンテナ２１１と、ＬＣＤ２０１が画像を表示していない間、タッチパネル２０３にアンテナの位置を示す指示画像を投影するＬＥＤ２２１および導光板２３０と、を備える。ＬＣＤ２０１が画像を表示していない間、タッチパネル２０３の裏面に指示画像が投影されるので、ＬＣＤ２０１が画像を表示していない間に、アンテナ２１１の位置をユーザーに通知することができる。
【００７６】
また、導光板２３０は、ＬＥＤ２２１から照射される光を、タッチパネル２０３の検出面中でアンテナ２１１と重なるアンテナ領域（重畳領域）２０３Ａに導く光路を形成し、光路中に設けられ、指示画像が形成された第２端面（像担持面）２３３と、を含む。このため、導光板２３０によりＬＥＤ２２１から照射される光が重畳領域に導かれるので、第２端面２３３に形成された指示画像が重畳領域に投影される。
【００７７】
また、第２端面２３３は、指示画像が形成された部分の光の透過率が、指示画像が形成されていない部分の光の透過率と異なるので、指示画像をタッチパネル２０３の裏面に投影することができる。例えば、指示画像が形成された部分の光の透過率を、指示画像が形成されていない部分の光の透過率より大きくする場合、タッチパネル２０３の裏面に、指示画像の部分が他の部分よりも明るく投影される。このため、指示画像を他の部分より明るく表示することができる。
【００７８】
また、第２端面２３３は、タッチパネル２３０の裏面の法線方向と所定の角度を有する。第２端面２３３を透過した光は屈折するので、第２端面２３３を透過した光をアンテナ領域２０３Ａに導くことができる。
【００７９】
また、導光板２３０は、タッチパネル２０３とＬＣＤ２０１との間においてタッチパネル２０３の裏面に平行に配置されるので、タッチパネル２０３とＬＣＤ２０１との間をできるだけ短くすることができる。
【００８０】
また、第１の変形例においては、導光板２３０Ａは、タッチパネル２３０と反対側の面に、重畳領域を投影した領域の輪郭に沿って配列された複数の反射部分２３７を含む。このため、導光板２３０ＡにＬＥＤ２２１から入射した光が複数の反射部分２３７でそれぞれ反射するので、複数の反射部分２３７でそれぞれ反射した光が、アンテナ領域２０３Ａの輪郭に照射される。このため、アンテナ領域２０３Ａの輪郭部分を明るくすることができる。
【００８１】
また、第２の変形例においては、導光板２３０Ｂの第４端面２３９を像担持面とするものであり、第４端面２３９は、指示画像が形成された部分の光の反射率が、指示画像が形成されていない部分の光の反射率と異なるので、指示画像をタッチパネル２０３の裏面に投影することができる。例えば、指示画像が形成された部分の光の反射率を、指示画像が形成されていない部分の光の反射率より大きくすれば、タッチパネル２０３の裏面に、指示画像の部分が他の部分よりも明るく投影されるので、指示画像を他の部分より明るく表示することができる。
【００８２】
また、第４端面２３９は、タッチパネル２３０の裏面の法線方向と所定の角度を有する。このため、第４端面２３９で反射した光をアンテナ領域２０３Ａに導くことができる。
【００８３】
さらに、ＭＦＰ１００は、アンテナ２１１に接続されたＮＦＣ制御部２１３を備える。ＮＦＣ制御部２１３は、外部の装置、ここではスマートフォン３００と通信する通信手段として機能する通信回路である。ＣＰＵ１１１は、ＬＣＤ２０１が画像を表示していない間に、ＮＦＣ制御部２１３がスマートフォン３００を検出する場合（ステップＳ０９でＹＥＳ）、ＬＣＤ２０１に画像を表示させることなくスマートフォン３００から遠隔操作を受信すると（ステップＳ１１）、遠隔操作に従って処理を実行する（ステップＳ１６、ステップＳ１７）。ＬＣＤ２０１を駆動することなく遠隔操作に従って処理を実行するので、ＬＣＤ２０１により電力が消費させないようにすることができる。
【００８４】
＜第２の実施の形態＞
第２の実施の形態におけるＭＦＰ１００の外観、ハードウェア構成は、図２および図３に示した外観およびハードウェア構成と同じである。
【００８５】
図１１は、第２の実施の形態におけるＭＦＰ１００の操作パネル１６０の制御回路の一例を示す図である。図１１を参照して、図４に示した制御回路と異なる点は、ＬＥＤ２２１、ＬＥＤ制御部２２５および駆動回路２２３が削除された点である。
【００８６】
図１２は、第２の実施の形態における操作パネルの断面の構成を模式的に示す図である。図１０を参照して、ＬＣＤ２０１の上方にタッチパネル２０３が配置され、ＬＣＤ２０１の下方に操作パネル制御基板２００が配置される。タッチパネル２０３はＬＣＤ２０１の上方に配置されるので、タッチパネル２０３の検出面がＬＣＤ２０１の表示面と重なり、タッチパネル２０３はＬＣＤ２０１の表示面中の位置を検出することができる。
【００８７】
操作パネル制御基板２００には、表示制御部２０５、ＮＦＣ制御部２１３およびアンテナ２１１が配置される。アンテナ２１１は、ＬＣＤ２０１の表示面の下方の面に配置される。ＬＣＤ２０１の表示面において、表示面を上から見て、アンテナ２１１と重なる部分が、アンテナ領域２０３Ａである。
【００８８】
ハーフミラー板２４０は、ＬＣＤ２０１とタッチパネル２０３との間で、アンテナ２１１と重なる部分に配置される。ここで、ＬＣＤ２０１からタッチパネル２０３に向かう方向を第１の方向といい、第１の方向と反対のタッチパネル２０３からＬＣＤ２０１に向かう方向を第２の方向という。ハーフミラー板２４０は、光の透過率の高いベースフィルム上に薄膜反射膜によって指示画像が形成されている。ハーフミラー板２４０の薄膜反射膜が形成される部分は、薄膜反射膜が形成されていない部分よりも第２の方向の光の反射率が高い。また、ハーフミラー板２４０の薄膜反射膜が形成される部分の第２の方向の光の反射率Ｒ１は、ＬＣＤ２０１の表示面の反射率Ｒ２よりも大きい。また、ハーフミラー板２４０の薄膜反射膜が形成される部分の第１の方向の光の透過率ＴＰはできるだけ高い方が好ましい。好ましくは、透過率ＴＰは、８５％以上である。したがって、次式（１）が成立する。
【００８９】
Ｒ２＜Ｒ１＜（１００−８５）  …  （１）
このため、ハーフミラー板２４０は、ＬＣＤ２０１が駆動している場合には、ＬＣＤ２０１から照射される第１の方向の光を透過するので、ユーザーは、ＬＣＤ２０１が形成する画像を視認することができる。
【００９０】
また、ＬＣＤ２０１が駆動していない場合、環境光である第２の方向の光がタッチパネル２０３から入射される。ハーフミラー板２４０の薄膜反射膜が形成された指示画像の部分において第２の方向の光が反射する光の量は、薄膜反射膜が形成されていない部分よりも多いので、指示画像を視認することができる。
【００９１】
なお、本実施の形態においては、薄膜反射膜を蒸着膜としたが、他の部材を用いるようにしてもよい。
【００９２】
第２の実施の形態におけるＭＦＰ１００は、ＬＣＤ２０１の表示面の上方で、ＬＣＤ２０１の表示面中でアンテナ２１１に対応するアンテナ領域に重なるように配置され、アンテナ２１１の位置を示す指示画像と同じ形状の反射部分を有するハーフミラー板２４０と、を備える。ハーフミラー板２４０の反射部分の光の反射率は、ＬＣＤ２０１の表示面の反射率よりも大きい。このため、ＬＣＤ２０１が画像を表示していない状態においては、反射部分で反射する光の量がＬＣＤ２０１の表示面で反射する光の量よりも多くなる。反射部分は指示画像と同じ形状なので、ＬＣＤ２０１が画像を表示していない状態において指示画像がユーザーにより視認可能になる。このため、ＬＣＤ２０１が画像を表示していない間に、アンテナ２１１の位置をユーザーに通知することができる。
【００９３】
＜第３の実施の形態＞
第３の実施の形態におけるＭＦＰ１００の外観、ハードウェア構成は、図２および図３に示した外観およびハードウェア構成と同じである。
【００９４】
図１３は、第３の実施の形態におけるＭＦＰ１００の操作パネル１６０の制御回路の一例を示す図である。図１３を参照して、図１１に示した制御回路と異なる点は、モーター２４１および駆動回路２４３が追加された点である。駆動回路２４３は、ＣＰＵ１１１により制御され、モーター２４１を駆動する。モーター２４１は、後述する表示板を移動させる。
【００９５】
図１４は、第３の実施の形態における操作パネルの断面の構成を模式的に示す図である。図１４を参照して、ＬＣＤ２０１の上方にタッチパネル２０３が配置され、ＬＣＤ２０１の下方に操作パネル制御基板２００が配置される。タッチパネル２０３はＬＣＤ２０１の上方に配置されるので、タッチパネル２０３の検出面がＬＣＤ２０１の表示面と重なり、タッチパネル２０３はＬＣＤ２０１の表示面中の位置を検出することができる。タッチパネル２０３は、光と透過する透過層である。
【００９６】
操作パネル制御基板２００には、表示制御部２０５、ＮＦＣ制御部２１３、アンテナ２１１およびモーター駆動回路２４３が配置される。アンテナ２１１は、ＬＣＤ２０１の表示面の下方の面に配置される。ＬＣＤ２０１の表示面、またはタッチパネル２０３の検出面において、アンテナ２１１と重なる部分が、アンテナ領域２０３Ａである。
【００９７】
表示板２５０は、ＬＣＤ２０１とタッチパネル２０３との間に、移動可能に配置される。表示板２５０は、モーター２４１によりＬＣＤ２０１と平行に移動され、ＬＣＤ２０１とタッチパネル２０３との間の位置からＬＣＤ２０１と重ならない位置とに移動可能である。表示板２５０には、基準画像と同じ画像が描かれている。表示板２５０がＬＣＤ２０１と重なる位置は、表示板２５０に描かれた基準画像がアンテナ領域と重なる位置である。
【００９８】
表示板２５０は、ＬＣＤ２０１が起動していない間は、ＬＣＤ２０１と重なる位置にモーター２４１によって移動され、ＬＣＤ２０１が起動している間は、ＬＣＤ２０１と重ならない位置にモーター２４１によって移動される。なお、図１４において、ＬＣＤ２０１が起動している間における表示版２５０を実線で示し、ＬＣＤ２０１が起動していない間における表示板２５０を点線で示している。
【００９９】
図１５は、第３の実施の形態における表示切換処理の流れの一例を示すフローチャートである。図１５を参照して、図７に示した処理と異なる点は、ステップＳ０４、ステップＳ０８およびステップＳ１４が、ステップＳ０４Ａ、ステップＳ０８ＡおよびステップＳ１４Ａにそれぞれ変更された点である。その他の処理は、図７に示した処理と同じなのでここでは説明を繰り返さない。
【０１００】
ステップＳ０４Ａにおいては、表示板２５０をアンテナ２１１に対応する位置に移動させる。具体的には、モーター駆動回路２４３を制御して、モーター２４１を回転させ、表示板２５０をアンテナ２１１に対応する位置に移動させる。アンテナ２１１に対応する位置は、アンテナ領域２０３Ａに重なる位置である。
【０１０１】
ステップＳ０８ＡまたはステップＳ１４Ａにおいては、表示板２５０をＬＣＤ２０１の表示面の外に移動させる。具体的には、モーター駆動回路２４３を制御して、モーター２４１を回転させ、表示板２５０をＬＣＤ２０１の表示面の外側の位置に移動させる。
【０１０２】
第３の実施の形態におけるＭＦＰ１００は、タッチパネル２０３とＬＣＤ２０１の間で移動可能で、アンテナ２１１の位置を示す指示画像が描かれた表示板２５０を備えており、ＬＣＤ２０１が画像を表示している間はＬＣＤ２０１の表示面と重ならない位置に表示板２５０を移動させ、ＬＣＤ２０１が画像を表示していない間はＬＣＤ２０１の表示面中でアンテナ２１１に対応する位置に表示板２５０を移動させる。このため、ＬＣＤ２０１の表示面に、ＬＣＤ２０１が表示する画像、または、指示画像を表示することができる。したがって、ＬＣＤ２０１が画像を表示していない間に、アンテナ２１１の位置をユーザーに通知することができる。
【０１０３】
＜アンテナ配置の変形例＞
上述した第１〜第３の実施の形態においては、アンテナ２１１をＬＣＤ２０１の下方に配置された操作パネル制御基板２００に配置するようにした。アンテナ２１１は、ＬＣＤ２０１の透明電極層に形成されてもよい。例えば、ＬＣＤ２０１は、液晶層の両面に、共通電極となる透明配線が形成された電極層と、画素を駆動するための画素電極となる透明配線が形成された電極層とを含む。アンテナ２１１を、２つの電極層のいずれかに形成するようにしてもよい。この場合、アンテナ２１１は、光の透過率の高い透明な部材で形成されるのが好ましい。
【０１０４】
また、アンテナ２１１を、タッチパネル２０３の配線パターンが形成される層に、アンテナ２１１を形成するようにしてもよい。この場合においては、アンテナ２１１は光の透過率の高い透明な部材で形成されるのが好ましい。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０６】
１  プリントシステム、３  ネットワーク、５  無線局、１００  ＭＦＰ、３００  スマートフォン、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１２０  自動原稿搬送装置、１３０  原稿読取部、１４０  画像形成部、１５０  給紙部、１５５  後処理部、１６０  操作パネル、１６７  ハードキー部、２００  操作パネル制御基板、２０１  ＬＣＤ、２０３  タッチパネル、２０３Ａ  アンテナ領域、２０５  表示制御部、２０７  スイッチ、２１１  アンテナ、２１３  ＮＦＣ制御部、２２１  ＬＥＤ、２２３  駆動回路、２２５  ＬＥＤ制御部、２３０，２３０Ａ〜２３０Ｃ  導光板、２３１  第１端面、２３３  第２端面、２３５  第３端面、２３７  突起、２３９  第４端面、２４０  ハーフミラー板、２４１  モーター、２４３  モーター駆動回路、２５０  表示板。
【図１】
2018114650.tif 000003
【図２】
2018114650.tif 000004
【図３】
2018114650.tif 000005
【図４】
2018114650.tif 000006
【図５】
2018114650.tif 000007
【図６】
2018114650.tif 000008
【図７】
2018114650.tif 000009
【図８】
2018114650.tif 000010
【図９】
2018114650.tif 000011
【図１０】
2018114650.tif 000012
【図１１】
2018114650.tif 000013
【図１２】
2018114650.tif 000014
【図１３】
2018114650.tif 000015
【図１４】
2018114650.tif 000016
【図１５】
2018114650.tif 000017